(57)【特許請求の範囲】
【請求項１】
トウヒール方向に曲率があり、正規ライ角度状態でソールを地面に座らせるようにクラブを構えたときの接地線ではフラットソールを形成し、該接地線からトウ寄りになるに従って徐々にバンス角度が大きくなり、該接地線からヒール寄りになるに従って徐々にスクープ角度が大きくなるようなソール形状を有することにより、フェースの向きがアドレスライ角度の変化に対して一定となるようにしたゴルフクラブヘッドを設計する方法であって、
ソール部のトウヒール方向に曲率半径を有するゴルフクラブヘッドを設計するにあたって、前記ソール部のトウヒール方向の曲率半径が小さいほど前記バンス角度及び前記スクープ角度の変化の度合いを大きくし、前記ソール部のトウヒール方向の曲率半径が大きいほど前記バンス角度及び前記スクープ角度の変化の度合いを小さく設定することを特徴とするゴルフクラブヘッドの設計方法。
【発明の詳細な説明】
【０００１】
【発明の属する技術分野】
本発明は、ウッドタイプとして好適なゴルフクラブヘッドの設計方法に関し、さらに詳しくは、クラブの構え方に起因するアドレスライ角度の変化に対してフェースの向きを一定にすることを可能にしたゴルフクラブヘッドの設計方法に関する。
【０００２】
【従来の技術】
通常、ゴルフクラブはアップライトに構えるとフェースが右側を向き、フラットに構えるとフェースが左側を向く。この傾向はロフト角が大きければ大きいほど顕著に現れる。このようなアドレスライ角度の変化によるフェースの向きの変化は、ソールを地面に座らせないアイアンタイプのゴルフクラブヘッドでは強制的にフェースをスクウェアに合わせるので問題はないが、一般的にソールを地面に座らせるウッドタイプのゴルフクラブヘッドでは、正規ライ角度に対するアドレスライ角度の誤差に応じてフェースの向きがずれることになる。例えば、フェース角度０°、ロフト角２０°のゴルフクラブを正規ライ角度より約１０°フラットに構えると、フェースの向きは約２°左側を向くことになる。
【０００３】
このように従来のゴルフクラブヘッドでは、ソールを座らせるようにクラブを構えたとき、そのクラブの構え方に起因するアドレスライ角度の変化に伴ってフェースの向きが変化してしまうという問題があった。
【０００４】
【発明が解決しようとする課題】
本発明の目的は、ソールを座らせるようにクラブを構えたとき、そのアドレスライ角度の変化に対してフェースの向きを一定にすることを可能にしたゴルフクラブヘッドの設計方法を提供することにある。
【０００５】
【課題を解決するための手段】
上記目的を達成するための本発明のゴルフクラブヘッドの設計方法は、トウヒール方向に曲率があり、正規ライ角度状態でソールを地面に座らせるようにクラブを構えたときの接地線ではフラットソールを形成し、該接地線からトウ寄りになるに従って徐々にバンス角度が大きくなり、該接地線からヒール寄りになるに従って徐々にスクープ角度が大きくなるようなソール形状を有することにより、フェースの向きがアドレスライ角度の変化に対して一定となるようにしたゴルフクラブヘッドを設計する方法であって、
ソール部のトウヒール方向に曲率半径を有するゴルフクラブヘッドを設計するにあたって、前記ソール部のトウヒール方向の曲率半径が小さいほど前記バンス角度及び前記スクープ角度の変化の度合いを大きくし、前記ソール部のトウヒール方向の曲率半径が大きいほど前記バンス角度及び前記スクープ角度の変化の度合いを小さく設定することを特徴とするものである。
【０００６】
このようにトウヒール方向に曲率があり、トウ寄りになるに従ってバンス角度側に、ヒール寄りになるに従ってスクープ角度側になるようなソール形状を持つことにより、ソールを座らせるようにクラブを構えたとき、そのアドレスライ角度の変化によるフェースの向きのずれを打ち消すので、どんなライ角度でアドレスしてもフェースの向きを常に一定にすることが可能である。
【０００７】
また、本発明において、ソール形状は正規ライ角度状態の接地線ではフラットソール、接地線からトウ寄りになるに従って徐々にバンス角度が大きく、接地線からヒール寄りになるに従って徐々にスクープ角度が大きくなることが好ましい。但し、上記のようなソール形状は通常変化し得るアドレスライ角度３５°〜７５°の範囲で設けるようにすればよい。
【０００８】
【発明の実施の形態】
以下、本発明の構成について添付の図面を参照して詳細に説明する。
図１〜図５は本発明の実施形態からなるゴルフクラブヘッドを例示するものである。図において、ゴルフクラブヘッド１は外殻部２、フェース部３、ソール部４及びシャフト装着用のホーゼル部５が一体的に構成されている。また、図において、Ｔはゴルフクラブヘッド１のトウを示し、Ｈはヒールを示している。
【０００９】
上記ゴルフクラブヘッド１は、トウヒール方向に曲率があり、正規ライ角度状態でソールを地面に座らせるようにクラブを構えたときの接地線Ｃではフラットソール、接地線ＣからトウＴ寄りになるに従って徐々にバンスソールに、ヒールＨ寄りになるに従って徐々にスクープソールになるようなソール形状を持っている。つまり、ソール部４において、正規ライ角度状態の接地線Ｃではシャフトの軸線に対してほぼ直角の平面からなるフラットソールを構成しているのに対し、接地線ＣからトウＴ側の領域ではリーディングエッジよりトレイリングエッジの方が膨らんでいる形状になっており、接地線ＣからヒールＨ側の領域ではリーディングエッジより後方のトレイリングエッジの方が地面から離れている形状になっている。しかも、ソール形状はトウＴ寄りになればなるほどバンス角が大きく、ヒールＨ寄りになればなるほどスクープ角が大きくなっている。なお、正規ライ角度状態とは、ゴルフクラブ毎に設定された正規ライ角度αでアドレスした状態を意味し、この正規ライ角度αはクラブ正面から見てスコアラインが地面に平行な状態においてシャフトが地面に対してなす角度によって定義されるものである。
【００１０】
一般に、ソール形状がスクープ角になっている場合にソールを座らせるようにクラブを構えるとフェースが右側を向き、ソール形状がバンス角になっている場合にソールを座らせるようにクラブを構えるとフェースが左側を向くことが知られている。その度合いは、正規ライ角度αが５０°〜６０°であるとき、スクープ角０．６°につきフェースが約１°右側を向き、バンス角０．６°につきフェースが約１°左側を向くことになる。
【００１１】
そこで、本発明では上記スクープ角とバンス角のアドレス特性を利用し、これらスクープ角とバンス角を１つのソール形状において組み合わせることにより、ソールを座らせるようにクラブを構えたとき、そのクラブの構え方に起因するアドレスライ角度の変化によるフェースの向きのずれを打ち消すので、どんなライ角度でアドレスしてもフェースの向きを常に一定にすることができるのである。
【００１２】
即ち、上述した本発明のゴルフクラブヘッド１では、ゴルフクラブを正規ライ角度αよりフラットに構えると、接地線Ｃがスクープ角のソール形状をなすヒールＨ側に移動する。この場合、従来のようなフラットソールであるとフェース部３は打球方向に対して左側を向く傾向があるが、スクープ角のソール形状によってフェース部３の向きが右側に補正され、その結果として予め設定されたフェース角度を保持するように作用する。
【００１３】
一方、ゴルフクラブを正規ライ角度αよりアップライトに構えると、接地線Ｃがバンス角のソール形状をなすトウＴ側に移動する。この場合、従来のようなフラットソールであるとフェース部３は打球方向に対して右側を向く傾向があるが、バンス角のソール形状によってフェース部３の向きが左側に補正され、その結果として予め設定されたフェース角度を保持するように作用する。
【００１４】
フェース角度は必ずしもスクウェア（目標に対して直角）である必要はなく、必要に応じてフックやスライスに形成することが可能である。例えば、フェース角度をスクウェアに設定した場合、アドレスライ角度の変化に拘らずフェースの向きが常にスクウェアになる。また、フェース角度をフック又はスライスに設定した場合、アドレスライ角度の変化に拘らずフェースの向きが常にフック又はスライスになる。
【００１５】
バンス角とスクープ角の度合いはソール部４のヒールトウ方向の曲率とロフト角に基づいて設定することができる。このソール部４の曲率が大きいほど（曲率半径が小さいほど）バンス角とスクープ角の度合い（ソール形状の変化）を大きくし、曲率が小さいほど（曲率半径が大きいほど）バンス角とスクープ角の度合いを小さく設定する。例えば、ロフト角２０°、トウヒール方向の曲率半径が１２７ｍｍのゴルフクラブを正規ライ角度５５°より１０°フラットに構えた場合、ソール部４の接地線はヒール側に約２２ｍｍずれる。その接地線でのソール角を１．２°スクープにすればフェースの向きをほぼ一定にすることができる。本発明では、正規ライ角度αに対するライ角度の変化が通常のアドレスで変わり得る範囲である約±２０度以内であれば、ソール部４におけるバンス角とスクープ角の度合いを調整することによりフェースの向きをほぼ一定にすることが可能である。
【００１６】
本発明において、ゴルフクラブヘッドはアドレスライ角度の変化に対してフェースの向きが一定となるようなソール形状を有していることが必要であるが、ゴルフクラブヘッドの構造や材質は特に限定されることはなく必要に応じて種々の形態にすることが可能である。また、本発明はソールを座らせるウッドタイプのゴルフクラブヘッドに適用することが好ましいが、アイアンタイプのゴルフクラブヘッドであってもソールを座らせるものであれば適用可能である。また、座らせるためにはソールには２０ｍｍ以上、より好ましくは３０ｍｍ以上のフラットな接地線が必要である。
【００１７】
【実施例】
図６に示すゴルフクラブヘッドにおいて、Ａ−Ａ’断面，Ｂ−Ｂ’断面，Ｏ−Ｏ’断面，Ｃ−Ｃ’断面，Ｄ−Ｄ’断面における地面に対するソール角度θ（図７参照）を種々異ならせ、正規ライ角度状態でソールを地面に座らせるようにクラブを構えたときの接地線ではフラットソール、その接地線からトウ寄りになるに従って徐々にバンスソールに、ヒール寄りになるに従って徐々にスクープソールになるようなソール形状を持たせた実施例１〜４と、フラットソールからなる従来例１と、バンスソールからなる従来例２とをそれぞれ製作した。上記ゴルフクラブヘッドの各寸法を表１に示した。表１において、ソール角度θは＋側がバンスソールとなり、−側がスクープソールとなる。なお、上記ソール角度θはフェースの向きを０°に固定した状態で測定したものである。また、Ａ−Ａ’断面，Ｂ−Ｂ’断面，Ｏ−Ｏ’断面，Ｃ−Ｃ’断面，Ｄ−Ｄ’断面はそれぞれアドレスライ角度６５°，６０°，５５°，５０°，４５°で構えたときにソールが接地する位置である。
【００１８】
【表１】
0004433336.tif 000002
【００１９】
これら従来例１，２及び実施例１〜４のゴルフクラブをライ角度を種々異ならせて構え、各アドレスライ角度におけるフェースの向きを測定した。その結果を表２に示した。表２において、フェースの向きは＋側がフックとなり、−側がスライスとなる。
【００２０】
【表２】
0004433336.tif 000003
【００２１】
この表２から明らかなように、実施例１〜４のゴルフクラブはアドレスライ角度を４５°〜６５°の範囲で変化させてもフェースの向きが一定になっていた。また、ソール曲率Ｒを５インチから１０インチへ大きくした場合、フェース中央線（Ｏ−Ｏ’）から接地線までの距離（Ａ−Ｏ，Ｂ−Ｏ，Ｃ−Ｏ，Ｄ−Ｏの距離）を大きくする必要があった。
【００２２】
【発明の効果】
以上説明したように本発明によれば、トウヒール方向に曲率があり、正規ライ角度状態でソールを地面に座らせるようにクラブを構えたときの接地線ではフラットソールを形成し、該接地線からトウ寄りになるに従って徐々にバンス角度が大きくなり、該接地線からヒール寄りになるに従って徐々にスクープ角度が大きくなるようなソール形状を有することにより、フェースの向きがアドレスライ角度の変化に対して一定となるようにしたゴルフクラブヘッドを設計するにあたって、ソール部のトウヒール方向の曲率半径が小さいほどバンス角度及びスクープ角度の変化の度合いを大きくし、ソール部のトウヒール方向の曲率半径が大きいほどバンス角度及びスクープ角度の変化の度合いを小さく設定するから、ソールを座らせるようにクラブを構えたとき、そのクラブの構え方に起因するアドレスライ角度の変化に対してフェースの向きを一定にすることができる。
【００２３】
従って、本発明のゴルフクラブヘッドは、打球の方向を合わせやすく、着弾点の左右の誤差も少なくできるので、スコアの向上に寄与する。
【図面の簡単な説明】
【図１】  本発明の実施形態からなるゴルフクラブヘッドを例示する正面図である。
【図２】  図１に示すゴルフクラブヘッドの背面図である。
【図３】  図１に示すゴルフクラブヘッドの左側面図である。
【図４】  図１に示すゴルフクラブヘッドの右側面図である。
【図５】  図１に示すゴルフクラブヘッドの平面図である。
【図６】  本発明の実施形態からなるゴルフクラブヘッドを示す正面図である。
【図７】  （Ａ）は図６のＡ−Ａ’断面図、（Ｂ）は図６のＯ−Ｏ’断面図、（Ｃ）は図６のＤ−Ｄ’断面図である。
【符号の説明】
１  ゴルフクラブヘッド
２  外殻部
３  フェース部
４  ソール部
５  ホーゼル部
Ｃ  正規ライ角度状態の接地線
Ｈ  ヒール
Ｔ  トウ
【図１】
0004433336.tif 000004
【図２】
0004433336.tif 000005
【図３】
0004433336.tif 000006
【図４】
0004433336.tif 000007
【図５】
0004433336.tif 000008
【図６】
0004433336.tif 000009
【図７】
0004433336.tif 000010